【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
セットを形成する複数のＤＳＬ回線を備えるマルチユーザベクトル化ＤＳＬシステムでデータを送信するための方法であって、前記セットのＤＳＬ回線が、非結合回線サブセットと結合回線サブセットとを備え、
前記結合回線サブセットからのオリジナルの結合回線データと、
前記非結合回線サブセットからのオリジナルの非結合回線データと、
処理済みのオリジナル結合回線データを生成するために前記オリジナル結合回線データにブロック処理を適用することを備える
伝送前の処理済みのマルチユーザデータを生成することと、
を備えるオリジナルマルチユーザデータを提供することと、
送信マルチユーザデータを生成するために、前記伝送前の処理されたマルチユーザデータを送信することと、
前記送信マルチユーザデータを受信することによって受信マルチユーザデータを生成することと、
処理済みの受信マルチユーザデータを生じさせるために、前記受信マルチユーザデータにブロック処理を適用することと、
フィルタにかけられたマルチユーザデータを生じさせるために、前記処理済みの受信マルチユーザデータにフィードバックフィルタリングを適用することと、
前記フィルタにかけられたマルチユーザデータが前記非結合回線セットからであるときには、判定デバイスを使用して復号された非結合回線マルチユーザデータを生成することと、あるいは
前記フィルタにかけられたマルチユーザデータが前記結合回線セットからであるときには、結合回線処理部を使用して復号された結合回線マルチユーザデータを生成することと、
の１つを実行することと、
を備える前記受信マルチユーザデータを復号することと、
を備える方法。
【請求項２】
フィルタにかけられたマルチユーザデータを生じさせるために、前記処理済みの受信マルチユーザデータにフィードバックフィルタリングを適用することが、
フィードバックフィルタリングモジュールに対して入力として前記復号された非結合回線マルチユーザデータと、前記復号された結合回線マルチユーザデータとを提供することと、
フィルタにかけられたマルチユーザデータを生じさせるために、前記処理済みの受信マルチユーザデータからフィードバックフィルタリングモジュール出力データを減算することと、
を備える請求項１に記載の方法。
【請求項３】
結合回線処理部を使用して、復号された結合回線マルチユーザデータを生成することが、
処理済みの結合回線マルチユーザデータを生じさせるために、前記フィルタにかけられたマルチユーザデータにブロック処理を適用することと、
前記復号された結合回線マルチユーザデータをもたらすために、判定デバイスに前記処理済みの結合回線マルチユーザデータを提供することと、
を備える請求項１に記載の方法。
【請求項４】
前記オリジナルの結合回線データに対するブロック処理の適用、前記受信されたマルチユーザデータに対するブロック処理の適用、または前記処理された受信マルチユーザデータに対するフィードバックフィルタリングの適用、の少なくとも１つを更新することをさらに備える請求項１に記載の方法。
【請求項５】
前記フィルタにかけられたマルチユーザデータに対するブロック処理の適用を更新することをさらに備える請求項３に記載の方法。
【請求項６】
処理済みのオリジナルマルチユーザデータを生成するために、前記オリジナルの結合回線データにブロック処理を適用することが、１つまたは複数の複素回転体動作を実行すること、あるいはマトリックス乗算を適用することの少なくとも１つを備え、
さらに、処理済みの受信マルチユーザデータを生成するために、前記受信マルチユーザデータにブロック処理を適用することが、１つまたは複数の複素回転体動作を実行すること、またはマトリックス乗算を適用することの少なくとも１つを備える請求項１に記載の方法。
【請求項７】
処理済みの結合回線マルチユーザデータを生じさせるために、前記フィルタにかけられたマルチユーザデータにブロック処理を適用することが、１つまたは複数の複素回転体動作を実行すること、またはマトリックス乗算を適用することの少なくとも１つを備える請求項３に記載の方法。
【請求項８】
複数の非結合回線と複数の結合回線とを含む複数のＤＳＬ回線を備えるベクトル化されたＤＳＬシステムでデータを送信するための方法であって、
処理済みのオリジナルの結合回線データを生じさせるために、伝送前にオリジナルの結合回線データをブロック処理することと、
伝送のためのマルチユーザデータを生成するために、オリジナルの非結合回線データと、前記処理済みのオリジナル結合回線データをプリコーディングすることと、
を備える前記マルチユーザデータを送信することと、
前記マルチユーザデータを受信することと、
前記受信マルチユーザデータの中の受信された結合回線データを処理し、前記受信された結合回線データを処理することが、
処理済みの受信結合回線データを生じさせるために、前記受信された結合回線データをブロック処理することと、
フィルタにかけられた結合回線データを生じさせるために、前記処理済みの受信結合回線データをフィードバックフィルタリングすることと、
前記フィルタにかけられた結合回線データを判定装置に提供することと、
を備えることと、
を備える方法。
【請求項９】
さらにプリコーディングが、
減算されたマルチユーザデータを生じさせるために、前記非結合回線データと前記処理済みのオリジナルの結合回線データとをフィードバックフィルタリングすることと、
前記減算されたマルチユーザデータをブロック処理することと、
を備える請求項８に記載の方法。
【請求項１０】
結合回線データと、前記処理済みの受信結合回線データのフィードバックフィルタリングとの少なくとも１つを更新することをさらに備える請求項８に記載の方法。
【請求項１１】
前記非結合回線データと、前記処理済みのオリジナルの結合回線データとをフィードバックフィルタリングすること、あるいは前記減算されたマルチユーザデータをブロック処理することと、
の少なくとも１つを更新することをさらに備える請求項９に記載の方法。
【請求項１２】
前記オリジナル結合回線データをブロック処理することが、１つまたは複数の複素回転体動作を実行すること、あるいはマトリックス乗算を適用することの少なくとも１つを備え、
さらに、前記受信された結合回線データをブロック処理することが、
１つまたは複数の複素回転体動作を実行すること、あるいは
マトリックス乗算を適用すること、
の少なくとも１つを備える請求項８に記載の方法。
【請求項１３】
前記減算されたマルチユーザデータをブロック処理することが、１つまたは複数の複素回転体動作を実行すること、あるいはマトリックス乗算を適用することの少なくとも１つを備える請求項９に記載の方法。
【請求項１４】
ベクトル化されたＤＳＬシステムに結合されている制御装置であって、前記ＤＳＬシステムが非結合ＤＳＬ回線サブセットと、結合ＤＳＬ回線サブセットとを含むＤＳＬ回線のセットを備え、
前記制御装置が、前記ＤＳＬシステムに結合されている１台または複数の受信機によって計算される誤差測定基準を監視するように構成され、
さらに前記制御装置が、
前記ＤＳＬシステム上の送信機の１つまたは複数のプログラム可能な構成要素と、
前記ＤＳＬシステム上の受信機の１つまたは複数のプログラム可能な構成要素と、
の１つまたは複数を更新するように構成される制御装置。
【請求項１５】
前記ベクトル化されたＤＳＬシステムが、上り方向で動作し、
さらに前記制御装置が、
前記結合回線セットに結合されている１台または複数の送信機で適用されるフィードフォワード動作と、
前記ＤＳＬシステムに結合されている１台または複数の受信機でのフィードフォワード動作と、
前記ＤＳＬシステムに結合されている１台または複数の受信機でのフィードバック動作と、
の少なくとも１つを更新する、
請求項１４に記載の制御装置。
【請求項１６】
前記ベクトル化されたＤＳＬシステムが、下り方向で動作し、
さらに前記制御装置が、
前記ＤＳＬシステムに結合されている１台または複数の送信機で適用されるフィードフォワード動作と、
前記ＤＳＬシステムに結合されている１台または複数の送信機で適用されるフィードバック動作と、
前記結合回線サブセットに結合されている１台または複数の受信機で適用されるフィードフォワード動作と、
前記結合回線サブセットに結合されている１台または複数の受信機で適用されるフィードバック動作と、
の少なくとも１つを更新する、
請求項１４に記載の制御装置。